(57)【要約】      （修正有）【課題】帚による掃除を感知すると自動で作動し、帚が離れると自動で停止する集塵機を提供する。【解決手段】集塵機は、ハウジング７、集塵ケース８、センサ２及び送風機９を備える。ハウジング７内に、ケース体を備える集塵ケース８が設置される。ケース体の側壁に吹出口が設けられ、吹出口に濾材が設置され、ケース体の外側に粉塵を進入させるための吸込管が設置され、ケース体の内側に吸込管と連通する吹入管１７が設置され、吹入管１７に風向を変えるための減速プレート１８が設置され、吹入管１７に設けられた吹入口の吹入方向が、ケース体の吹出口の吹出方向の反対側に向かうように設定される。センサ２が帚の清掃活動を感知できたとき、送風機９が自動に起動して負圧吸引力を生じ、粉塵やゴミをケース体内に吸い込む。【選択図】図６
0003232053.tif 000002
【実用新案登録請求の範囲】
【請求項１】
ケースカバーが設置されるケース体を備え、
前記ケース体の側壁に吹出口が設けられ、前記吹出口に濾材が設置され、
前記ケース体の外側に粉塵を進入させるための吸込管が設置され、前記ケース体の内側に前記吸込管と連通する吹入管が設置され、
前記吹入管に風向を変えるための減速プレートが設置され、前記吹入管に設けられた吹入口の吹入方向が、前記ケース体の吹出口の吹出方向の反対側に向かうように設定される
ことを特徴とする集塵機用集塵ケース。
【請求項２】
前記減速プレートの板面と空気の前記ケース体に進入する際の瞬時の風向とがなす角は鈍角である
ことを特徴とする請求項１に記載の集塵機用集塵ケース。
【請求項３】
前記吹入管は、前記ケース体における、前記吹出口が位置する側壁と隣接する側壁に設置され、前記吹入口が、前記吹出口が位置する側壁に対向する側壁に向かっている
ことを特徴とする請求項１に記載の集塵機用集塵ケース。
【請求項４】
前記吹入管は、前記ケース体の側壁における、前記吹出口に近接する端に設置される
ことを特徴とする請求項３に記載の集塵機用集塵ケース。
【請求項５】
前記ケース体の側壁に係合リングが設けられ、前記吹入管が前記係合リングに係着される
ことを特徴とする請求項１に記載の集塵機用集塵ケース。
【請求項６】
前記吹入管の内径は前記吸込管の内径より大きい
ことを特徴とする請求項１に記載の集塵機用集塵ケース。
【請求項７】
前記吹出口にガイドパイプが設置され、前記ガイドパイプに風向を変えるための風ダンパが設けられ、前記ガイドパイプに設けられた空気ダンパ口の開口方向が前記吹入口の開口方向に垂直し、前記空気ダンパ口が前記吹入管が位置する側壁に対向する側壁に向かっている
ことを特徴とする請求項１〜６のいずれか一項に記載の集塵機用集塵ケース。
【請求項８】
前記ケースカバーに手持ち部が設置される
ことを特徴とする請求項１に記載の集塵機用集塵ケース。
【請求項９】
底部に吸込口が設けられ、側壁に排風口が設けられるハウジングと、
前記ハウジング内に設置される請求項１〜８のいずれか一項に記載の集塵ケースと、
前記ハウジングの側壁に設置され、移動中の帚を感知するためのセンサと、
前記ハウジング内に設置され、前記集塵ケースのケース体の吹出口に接続され、前記センサからの信号を受信とともに、前記センサからの信号に基づいてオン・オフする送風機とを備え、
前記送風機が起動すると、前記帚で乱された空気が前記集塵ケース内に吸込まれ、前記濾材によって濾過されたあと、清浄な空気として前記排風口から排出される
ことを特徴とする集塵機。
【請求項１０】
前記ケース体の上端に、支持されるためのフランジが設けられ、前記ハウジングの上端に、ケース体のフランジを載せて前記ケース体を支持するための支持台が設けられる
ことを特徴とする請求項９に記載の集塵機。
【請求項１１】
前記ケース体の上端に、前記ケースカバーを支持するための環状台が設けられ、前記環状台の高さが前記フランジの高さより低い
ことを特徴とする請求項１０に記載の集塵機。
【請求項１２】
前記ハウジングの底部に集風溝が設けられ、前記吸込口が前記集風溝に設けられる
ことを特徴とする請求項９に記載の集塵機。
【請求項１３】
前記ハウジングに支持されるゴミ箱をさらに有する
ことを特徴とする請求項９〜１２のいずれか一項に記載の集塵機。
【考案の詳細な説明】
【技術分野】
【０００１】
本考案は、除塵の技術分野に属し、より具体的に、集塵機用集塵ケース及び集塵機に関する。
【背景技術】
【０００２】
人々の空気質への意識が高まることにつれ、集塵機は家庭、オフィス、企業などの場面に多く用いられている。集塵機は、空気中に浮遊する粉塵、ミスト、ゴミなどを収集するものである。周囲空気が乱されていないとき、集塵機の作動効果がさほど大きくないが、帚でその周辺の床面を清掃するとき、周囲空気が乱され、乱された空気中に舞い上がった粉塵、ゴミなどが満たされ、この場合、集塵機の集塵の役割をよく発揮できる。
【０００３】
従来の集塵機は、手動でオン・オフしなければならない。一般的には、勤務中の仕事場においてずっとオンにし、自宅の場合、オンにする期間がもっと長いため、必要に応じて集塵機のオン・オフを実現できず、エネルギーの浪費になってしまう。また、従来の集塵機は、空気を清浄することができるが、騒音が大きいので、騒音汚染を引き起こしてしまう。
【考案の概要】
【考案が解決しようとする課題】
【０００４】
本考案は、集塵機の連続作動よるエネルギの浪費及び騒音の大きいという問題を解決するように、帚による掃除を感知すると自動オンにし、帚が離れると自動オフにする集塵機を提供する。
【課題を解決するための手段】
【０００５】
上記の目的を実現するため、本考案に係る集塵機用集塵ケースは、ケースカバーが設置されるケース体を備え、前記ケース体の側壁に吹出口が設けられ、前記吹出口に濾材が設置され、前記ケース体の外側に粉塵を進入させるための吸込管が設置され、前記ケース体の内側に前記吸込管と連通する吹入管が設置され、前記吹入管に風向を変えるための減速プレートが設置され、前記吹入管に設けられた吹入口の吹入方向が、前記ケース体の吹出口の吹出方向の反対側に向かうように設定される。
【０００６】
本出願の他の実施例として、前記減速プレートの板面と空気の前記ケース体に進入する際の瞬時の風向とがなす角は鈍角である。
【０００７】
本出願の他の実施例として、前記吹入管は、前記ケース体における、前記吹出口が位置する側壁と隣接する側壁に設置され、前記吹入口が、前記吹出口が位置する側壁に対向する側壁に向かっている。
【０００８】
本出願の他の実施例として、前記吹入管は、前記ケース体の側壁における、前記吹出口に近接する端に設置される。
【０００９】
本出願の他の実施例として、前記ケース体の側壁に係合リングが設けられ、前記吹入管が前記係合リングに係着される。
【００１０】
本出願の他の実施例として、前記吹入管の内径は前記吸込管の内径より大きい。
【００１１】
本出願の他の実施例として、前記吹出口にガイドパイプが設置され、前記ガイドパイプに風向を変えるための風ダンパが設けられ、前記ガイドパイプに設けられた空気ダンパ口の開口方向が前記吹入口の開口方向に垂直し、前記空気ダンパ口が前記吹入管が位置する側壁に対向する側壁に向かっている。
【００１２】
本出願の他の実施例として、前記ケース体の上端に、支持されるためのフランジが設けられる。
【００１３】
本出願の他の実施例として、前記ケース体の上端に、前記ケースカバーを支持するための環状台が設けられ、前記環状台の高さが前記フランジの高さより低い。
【００１４】
本出願の他の実施例として、前記ケースカバーに手持ち部が設置される。
【００１５】
上記の目的を実現するため、本考案は、集塵機をさらに提供する。前記集塵機は、底部に吸込口が設けられ、側壁に排風口が設けられるハウジングと、前記ハウジング内に設置される上記のいずれか１種の集塵ケースと、前記ハウジングの側壁に設置され、移動中の帚を感知するためのセンサと、前記ハウジング内に設置され、前記集塵ケースのケース体の吹出口に接続され、前記センサからの信号を受信するとともに、前記センサからの信号に基づいてオン・オフする送風機とを備え、前記送風機が起動すると、前記帚で乱された空気が前記集塵ケース内に吸込まれ、前記濾材によって濾過されたあと、清浄な空気として前記排風口から排出される。
【００１６】
本出願の他の実施例として、前記ハウジングの底部に集風溝が設けられ、前記吸込口が前記集風溝に設けられる。
【００１７】
本出願の他の実施例として、前記ハウジングに支持されるゴミ箱をさらに有する。
【００１８】
本考案に係る集塵機用集塵ケースは、以下のような有益効果を有する。
【００１９】
本考案に係る集塵機用集塵ケースは、従来技術に対して、そのケース体の内側に、減速プレートを備えた吹入管が設置される。従来、送風機の回転による負圧で、粉塵やゴミが集塵機の吸込口から吸込まれて、吸込管を経由してケース体内に導入され、このとき、風速が非常に速いため、ケース体内に乱流及び騒音が生じる。これに対して、本考案では、吹入管に減速プレートが設置され、空気流が減速プレートの案内でケース体内において減速され、ケース体の濾材によって濾過されて清浄な空気になり、清浄な空気が送風機により集塵機の排風口から排出される。減速プレートを設置することで、吸込まれた粉塵やゴミを効果的に案内することができるため、高風速に起因した乱流及び騒音を抑えることができる。
【００２０】
また、本考案に係る集塵機は、以下のような有益効果を有する。
【００２１】
従来技術に対して、本考案に係る集塵機は、集塵機の吸込口の先端に物体の移動を感知するためのセンサが設置される。センサが帚の清掃動作を感知できたとき、送風機が自動に起動して負圧吸引力を生じ、粉塵やゴミをケース体内に吸込む。粉塵やゴミはケース体の吹出口の濾材によって濾過されたあとケース体内に溜められ、清浄な空気は送風機によって吹出口から排出される。ケース体内の粉塵がある程度溜まったとき、ケース体を取り出し、その中の粉塵やゴミを捨てて該ケース体を掃除することができる。
【００２２】
本考案に係る集塵機によれば、集塵機の連続作動が必要なく、床を清掃する際だけに舞い上がった粉塵やゴミを収集することができるため、床の清掃に起因した環境汚染問題を解決できるとともに、エネルギの浪費を抑えることができる。したがって、使用が簡単で便宜であり、エネルギを節約する効果を実現できる。
【００２３】
本考案の実施例における技術案をより明瞭に説明するため、以下、実施例又は従来技術の説明に必要な図面を簡単に説明する。説明する図面は、本考案の一部の実施例を示すものにすぎず、当業者が、発明能力を用いなくても、これらの図面に基づいて他の図面を得ることが可能である。
【図面の簡単な説明】
【００２４】
【図１】本考案の実施例による集塵機の模式的斜視構成図である。
【図２】本考案の実施例による集塵機の模式的平面構成図である。
【図３】図１におけるＡ−Ａ線に沿った断面構成図である。
【図４】図３に示した集塵機の下半部の模式的構成図である。
【図５】本考案の実施例による、ゴミ箱を取り外した集塵機の模式的斜視構成図である。
【図６】図５に示した集塵機の内部構成の模式図である。
【図７】図６に示した集塵機の模式的平面構成図である。
【図８】図５に示した集塵機の平面構成図である。
【図９】図８におけるＢ−Ｂ線に沿った断面構成図である。
【図１０】図５に示した集塵機の正面構成図である。
【図１１】図１０におけるＣ−Ｃ線に沿った断面構成図である。
【図１２】図５に示した集塵機における集塵ケースの第１の模式的斜視構成図である。
【図１３】図５に示した集塵機における集塵ケースの第２の模式的斜視構成図である。
【図１４】図１に示した集塵機におけるゴミ箱の模式的斜視構成図である。
【考案を実施するための形態】
【００２５】
本考案の解決しようとする技術問題、技術案及び有益効果をより明瞭にするため、以下、図面及び実施例を用いて、本考案をさらに詳細に説明する。ここで説明する具体的な実施例は、本考案を解釈するためのものにすぎず、本考案を限定するものではないと理解すべきである。
【００２６】
（１）集塵機の構成
【００２７】
図１〜図１３を参照しながら、本考案に係る集塵機を説明する。集塵機は、ハウジング７と、集塵ケース８と、センサ２と、送風機９を備える。ハウジング７は、底部に吸込口５が設けられ、側壁に排風口３が設けられる。集塵ケース８は、ハウジング７内に設置され、ケースカバー１２が設置されるケース体８０を有する。ケース体８０の側壁に吹出口２２が設けられ、吹出口２２に濾材が設置される。ケース体８０と吸込口５との間に吸込管２１が設置される。センサ２は、ハウジング７の側壁に設置され、移動中の帚を感知することに用いられる。送風機９は、ハウジング７内に設置され、ケース体８０の吹出口２２と接続する。送風機９は、センサ２からの信号を受信するとともに、センサ２からの信号に基づいてオン・オフする。送風機９が作動するとき、帚で乱された空気がケース体８０内に吸込まれ、濾材によって濾過されたあと、清浄な空気が排風口３から排出される。
【００２８】
本考案に係る集塵機は、従来技術に対して、集塵機の吸込口５の先端に物体の移動を感知するためのセンサ２が設置される。センサ２が帚の清掃動作を感知できたとき、送風機９が自動に起動して負圧吸引力を生じ、粉塵やゴミをケース体８０内に吸込む。粉塵やゴミはケース体８０の吹出口２２の濾材によって濾過されたあとケース体８０内に溜められ、清浄な空気は送風機９によって吹出口２２から排出される。ケース体８０内の粉塵がある程度溜まったとき、ケース体８０を取り出し、その中の粉塵やゴミを捨てて該ケース体８０を掃除することができる。
【００２９】
本考案に係る集塵機によれば、集塵機の連続作動が必要なく、床を清掃する際だけに舞い上がった粉塵やゴミを収集することができるため、床の清掃に起因した環境汚染問題を解決できるとともに、エネルギの浪費を抑えることができる。したがって、使用が簡単で便宜であり、エネルギを節約する効果を実現できる。
【００３０】
（２）集塵機用集塵ケースの構成
【００３１】
図５〜図１３を参照しながら、本考案に係る集塵機用集塵ケースを説明する。集塵機のハウジング７内に集塵ケース８が設置される。集塵ケース８は、ケースカバー１２が設置されるケース体８０を有する。ケース体８０の側壁に吹出口２２が設けられ、吹出口２２に濾材が設置される。ケース体８０の外側に粉塵を進入させるための吸込管２１が設置され、ケース体８０の内側に吸込管２１と連通する吹入管１７が設置される。吹入管１７に風向を変えるための減速プレート１８が設置され、吹入管１７に設けられた吹入口の向きが、ケース体８０の吹出口２２に背を向ける向きとなっている。
【００３２】
具体的には、吹入管１７の端部に風向を変えるための減速プレート１８が設置され、減速プレート１８と吹入管１７の側壁とが囲んで吹入口を形成する。吹入管１７に設けられた吹入口の吹入方向は、ケース体８０の吹出口の吹出方向の反対側に向かうように設定される。
【００３３】
本考案に係る集塵機用集塵ケース８は、従来技術に対して、ケース体８０の内側に、減速プレート１８を備える吹入管１７が設置される。従来、送風機９の回転による負圧で、粉塵やゴミが集塵機の吸込口５から吸込まれて、吸込管２１を経由してケース体８０内に導入され、このとき、風速が非常に速いため、ケース体８０内に乱流及び騒音が生じる。これに対して、本考案では、吹入管１７に減速プレート１８が設置され、空気流が減速プレート１８の案内でケース体８０内において減速され、ケース体８０の濾材によって濾過されて清浄な空気になり、清浄な空気が送風機９により集塵機の排風口３から排出される。減速プレート１８を設置することで、吸込まれた粉塵やゴミを効果的に案内することができるため、高風速に起因した乱流及び騒音を抑えることできる。
【００３４】
本実施例では、濾材は濾過綿であり、減速プレート１８は円形板である。
【００３５】
本考案において、吹入管に設けられた吹入口の空気進入方向を、ケース体の吹出口の排気方向の反対側に向けるように設計することにより、気流を吹出口２２から離れる方向へ案内し、粉塵やゴミのケース体８０内における流動経路を長くして、ケース体８０内における粉塵やゴミの落下に、より長い時間を提供できた。
【００３６】
また、本考案の実施例の一実施形態として、図６、図７、図１２及び図１３に示すように、減速プレート１８の板面と空気のケース体８０に進入する際の瞬時の風向とがなす角は鈍角である。該鈍角で設置された減速プレート１８により、吹入口は、大きさが漸増する形状となるため、空気を案内できるとともに、風速と気圧を低減させ、騒音を抑えることができる。
【００３７】
本考案の実施例の一実施形態として、図６及び図７、図１２及び図１３に示すように、吹入管１７は、ケース体８０における、吹出口２２が位置する側壁と隣接する側壁に設置され、吹入口が、吹出口２２が位置する側壁に対向する側壁に向かっている。吹入口から進入する空気は、減速プレート１８の案内で、直接吹出口２２までの最も長い経路を形成できる吹出口２２に対向する側壁に吹く。図７における矢印に示すように、気流は側壁に当たって方向が変えられ、折り返して吹出口２２へ流動するように、粉塵やゴミのケース体８０内における流動経路を長くすることにより、粉塵やゴミの十分落下に、より長い時間が提供される。また、吹入管１７をケース体８０の側壁における、吹出口２２に近接する端に設置することができるため、粉塵の流動経路をさらに長くして、ケース体８０内における粉塵の落下に、より長い時間を提供できる。
【００３８】
本考案の実施例の一実施形態として、図１１に示すように、ケース体８０の側壁に係合リング２０が設けられ、吹入管１７が係合リング２０に係着される。吹入管１７は、内径が係合リング２０の外径に適合するものであり、取り付けるとき、吹入管１７を直接係合リング２０に挿着するだけでよいため、着脱が簡単で便宜である。
【００３９】
本考案の実施例の一実施形態として、図１１に示すように、吹入管１７の内径は吸込管２１の内径より大きい。したがって、空気が吹入管１７に流動するときに、気圧を低減することができるため、騒音の抑える効果を発揮できる。
【００４０】
本考案の実施例の一実施形態として、図６〜図１３に示すように、吹出口２２にガイドパイプ１６が設置され、ガイドパイプ１６に風向を変えるための風ダンパ１９が設けられ、風ダンパ１９とガイドパイプ１６の側壁とが囲んで空気ダンパ口を形成する。ガイドパイプ１６の空気ダンパ口の開口方向は吹入管１７の吹入口の開口方向に垂直し、空気ダンパ口が吹入管１７が位置する側壁に対向する側壁に向かっている。設置されたガイドパイプ１６及び風ダンパ１９により、ケース体８０から出ようとする空気をさらに案内し、粉塵やゴミが吹出口２２から直接排出されることを避けるように粉塵やゴミをさらに止めて、集塵の効果を向上させる。
【００４１】
本考案の実施例の一実施形態として、図４、図６、図９、図１２及び図１３に示すように、ハウジング７の上端に、ケース体８０を支持するための支持台１４が設けられ、ケース体８０の上端に、支持台１４に載置するためのフランジ１３が設けられる。ケース体８０を取り付けるとき、ケース体８０を直接支持台１４に置けばよいので、取り付けが簡単で便宜である。粉塵を捨てるとき、ケース体８０を取り出せばよいので、使用に簡単で便宜である。ここで支持台１４とフランジ１３は周方向に沿った全周に亘って途切れなく設けられていたが、ケース体８０を支持するように間隔をあけて不連続な支持ブロックを設けてもよい。
【００４２】
ケース体８０に、ケースカバー１２を支持する環状台１５がさらに設けられ、環状台１５の高さがフランジ１３の高さよりも低い。これにより、ケースカバー１２を直接環状台１５に置けばよい。ケースカバー１２に手持ち部２３が設置され、ケースカバー１２を容易に持ち上げることができる。
【００４３】
本考案の実施例の一実施形態として、図１、図５、図７及び図１１に示すように、ハウジング７の底部に集風溝６が設けられ、吸込口５が集風溝６に設けられる。集風溝６の一面は、ストッパ部をなし、帚で乱された空気をとめ、粉塵やゴミを吸込口５に進入させる。センサ２は、集風溝６の溝口が位置するハウジング７の側壁に設置される。集風溝６の溝底は傾斜面４をなし、吸込口５が該傾斜面４に設けられるため、粉塵の進入が容易になる。傾斜面４と集風溝６の側面とがなす角は鈍角である。設けられた傾斜面４によって、集風溝６の溝口が拡大され、集風溝６に負圧を形成し、集風の効果が向上される。
【００４４】
本考案の実施例の一実施形態として、図１〜図４、図１４に示すように、集塵機は、ハウジング７に支持されるゴミ箱１をさらに有する。ゴミ箱１は直接ハウジング７に置かれる。ゴミ箱１は、取り出して単独に使用してもよく、下部が集塵機であって上部がゴミ箱１であるように集塵機と共に使用してもよい。清掃によって集まったゴミを直接ゴミ箱１に捨てることができる。
【００４５】
図４に示すように、ハウジング７の上端にゴミ箱１を係止するための係止部１１がさらに設けられる。ゴミ箱１の下端に係止溝１０が設けられる。ゴミ箱１をハウジング７に置いたとき、ゴミ箱１の外面とハウジング７の外面とが面一になる。係止部１１は、係止溝１０の内壁と密接し、ゴミ箱１を位置決める。
【００４６】
本実施例において、図３に示すように、ゴミ箱１は、二層構造であり、係止溝１０がこの２層の間の空間でなしたものである。係止部１１は、ゴミ箱１の内層と密接し、ゴミ箱１を位置決める。
【００４７】
上記は、本考案の好ましい実施例にすぎず、本考案を限定するものではない。本考案の精神及び主旨を逸脱しない限り、如何なる変更、均等置換及び改良等も、本考案の保護範囲内に属する。
【符号の説明】
【００４８】
１  ゴミ箱
２  センサ
３  排風口
４  傾斜面
５  吸込口
６  集風溝
７  ハウジング
８  集塵ケース
８０  ケース体
９  送風機
１０  係止溝
１１  係止部
１２  ケースカバー
１３  フランジ
１４  支持台
１５  環状台
１６  ガイドパイプ
１７  吹入管
１８  減速プレート
１９  風ダンパ
２０  係合リング
２１  吸込管
２２  吹出口
２３  手持ち部
【図１】
0003232053.tif 000003
【図２】
0003232053.tif 000004
【図３】
0003232053.tif 000005
【図４】
0003232053.tif 000006
【図５】
0003232053.tif 000007
【図６】
0003232053.tif 000008
【図７】
0003232053.tif 000009
【図８】
0003232053.tif 000010
【図９】
0003232053.tif 000011
【図１０】
0003232053.tif 000012
【図１１】
0003232053.tif 000013
【図１２】
0003232053.tif 000014
【図１３】
0003232053.tif 000015
【図１４】
0003232053.tif 000016